(57)【特許請求の範囲】
【請求項１】
所定情報管理領域内の情報を一元管理する装置を該所定情報管理領域内において２重化し、前記装置の内の稼働中の装置は前記装置の内の監視先の装置を監視し、監視元の装置は監視先の装置の状態を取得し、監視元の装置は自分の状態と取得した監視先の装置の状態の組み合わせに従って自状態を管理する情報管理方法において、
所定情報管理領域が１度２つの領域に分断した状態においてそれぞれの領域に前記装置を設定した後、元の１つの領域に復旧したとき、それぞれの前記装置が行う状態監視の結果前記分断時の２つの領域のそれぞれに設定した前記装置の自情報が情報を一元管理する稼働中の場合、それら装置をそれら装置が固有に持つ同じものがない優先順位の値によっていずれか１つを稼働中に設定し、残りの装置を自情報が情報を管理しない待機中になるように設定することを特徴とする情報管理方法。
【請求項２】
請求項１記載の情報管理方法において、前記装置をその装置が属する所定情報管理領域以外の他の所定情報管理領域内の前記装置と交信させることを特徴とする情報管理方法。
【請求項３】
所定情報管理領域内の情報を一元管理する装置を該所定情報管理領域内において２重化し、前記装置の内の稼働中の装置は前記装置の内の監視先の装置を監視し、監視元の装置は監視先の装置の状態を取得し、監視元の装置は自分の状態と取得した監視先の装置の状態の組み合わせに従って自状態を管理する情報管理装置において、
所定情報管理領域が１度２つの領域に分断した状態においてそれぞれの領域に前記装置を設定した後、元の１つの領域に復旧したとき、それぞれの前記装置が行う状態監視の結果前記分断時の２つの領域のそれぞれに設定した前記装置の自情報が情報を一元管理する稼働中の場合、それら装置をそれら装置が固有に持つ同じものがない優先順位の値によっていずれか１つを稼働中に設定し、残りの装置を自情報が情報を管理しない待機中になるように設定して前記装置を所定情報管理領域内において２重化することを特徴とする情報管理装置。
【請求項４】
請求項３記載の情報管理装置において、前記装置をその装置が属する所定情報管理領域以外の他の所定情報管理領域内の前記装置と交信可能に接続することを特徴とする情報管理装置。
【請求項５】
請求項３又は４項記載の情報管理装置において、前記装置に端末を交信可能に接続し、前記端末を前記装置を介して他の前記端末と交信可能に接続することを特徴とする情報管理装置。
【発明の詳細な説明】
【０００１】
【発明の属する技術分野】
本発明は、サービスを提供する為に情報を一元管理する装置（以下、「ゲートキーパＧＫ」という）を２重化する方法および装置に関する。
【０００２】
【従来技術】
マルチメディア通信システムを実現するＨ．３２３システムは、アドレス解決、帯域管理、呼の確立、ネゴシエーション、音声・映像の伝達の課題を解決するシステムとなっている。
【０００３】
この「Ｈ．３２３」は、２０００年に発行されたＩＴＵ−Ｔ標準の勧告であり、「パケット網上のＡＶ通信システム（ＡｎｎｅｘＡ〜Ｄを含む）」と表題が付けられている。
【０００４】
「Ｈ．３２３」は、従来の電話網における呼制御（シグナリング・プロトコル）から発展してＩＰネットワークにおけるマルチメディア通信（電話を含む）の呼制御に至ったものである。
【０００５】
Ｈ．３２３プロトコルは、インターネットや通信品質（ＱｏＳ）非保障型ＬＡＮ（例えば、Ｅｔｈｅｒｎｅｔ( 登録商標）) などのネットワークで使用されるマルチメディア通信システムおよび端末ＥＰ用のプロトコルであり、呼制御をゲートキーパＧＫ（Ｇａｔｅｋｅｅｐｅｒ）が行う点に特徴を有する。
【０００６】
呼制御とは、呼の設定や解放を行うことをいい、例えば、電話をかける場合、まず相手を呼び出す（終了したら解放する）が、これを「呼」という。この「呼制御」を行う場合、電話網やＩＳＤＮでは、ユーザー間で音声やデータを送る通信路（通話路）とは別に「呼制御」を行うためだけの信号用の回線が用意される。
【０００７】
Ｈ．３２３端末ＥＰは、ユーザーがＨ．３２３通信を行うために使う装置（パソコンや携帯端末）で、音声や映像情報を入力したり、出力（表示）したりする機能を持っている。
【０００８】
Ｈ．３２３ゲートキーパＧＫは、機能であって、同一のＩＰ網の領域（ゾーン）内にある端末ＥＰ間のＨ．３２３通信を管理する。また、その領域内の端末ＥＰの登録、端末ＥＰアドレスの管理、通信（サービス）を行うために必要な帯域幅の管理、サービスを開始する場合の許可の制御を行う。ここでいう「ゾーン」とは、所定情報管理領域内をいう。
【０００９】
また、Ｈ．３２３ＭＣＵ（多地点通信制御装置）、Ｈ．３２３ゲートウエイＧＷ（Ｇａｔｅｗａｙ）（網間接続装置）は多地点通信やＩＳＤＮ端末との通信を実現する装置として設けられる。
【００１０】
ゲートウエイＧＷは、相互接続装置（プロトコル変換装置とも言われる）であり、Ｈ．３２３端末ＥＰが接続されたＩＰ網と、他の網例えばＩＳＤＮを相互接続し、ＩＳＤＮ経由でＨ．３２０システム（ＩＳＤＮ用テレビ電話／会議システム）と通信できるようにする装置である。
【００１１】
Ｈ．３２３ゲートキーパＧＫは、ネットワーク上のある範囲（例えば企業の支社内のネットワークなど）を管理領域として、管理領域に存在するＨ．３２３端末ＥＰ、Ｈ．３２３ＭＣＵ、Ｈ．３２３ゲートウエイＧＷに対し次の機能を提供する。
（ｉ）アドレス解決（Ａｄｄｒｅｓｓ  Ｒｅｓｏ１ｕｔｉｏｎ）
利用者が通信相手を電子メール・アドレスなどＩＰアドレス以外の形式で指定した場合に、入力された通信相手の識別子を通信相手の端末ＥＰのＩＰアドレスに変換する。
（ii）受付可否制御（Ａｄｍｉｓｓｉｏｎ  Ｃｏｎｔｒｏ１）
管理領域内のＨ．３２３装置が、新たに呼を確立しようとしているときや管理領域内の装置に対する呼確立要求が到着したときに、その呼の確立の可否を決定する。この可否決定は、ネットワーク管理者が予め入力したポリシー（方針）や、そのときの拠点内のネットワークの負荷の状態などに基づいて行われる。
（iii ）帯域制御（Ｂａｎｄｗｉｄｔｈ  Ｃｏｎｔｒｏｌ）
管理領域内のＨ．３２３装置が、Ｈ．３２３通信で使用する帯域を増減しようとするときに、その可否を決定し、管理領域内で実行されるＨ．３２３通信の品質を維持する。
【００１２】
ある１つのＨ．３２３ゲートキーパＧＫによって管理されている管理領域（ゾーン）は必ずしもＩＰネットワークのＬＡＮセグメントに対応させて定義する必要はない。
【００１３】
論理上、Ｈ．３２３端末ＥＰ、Ｈ．３２３ゲートキーパＧＫ、Ｈ．３２３ゲートウェイＧＷ、Ｈ．３２３ＭＣＵ（多地点通信制御装置）は別々の要素として定義されているが、実際には複数の要素が物理的に同一の装置で実現されることもある。例えば、Ｈ．３２３ゲートキーパＧＫとＨ．３２３ゲートウエイＧＷの機能を併せもった装置を構成する。
【００１４】
Ｈ．３２３端末ＥＰ、Ｈ．３２３ゲートウエイＧＷ、Ｈ．３２３ＭＣＵはいずれもＨ．３２３通信を起動したり、接続相手となったりすることができる。これらの装置のようにＨ．３２３通信を起動したり、着信したりする能力をもつ装置を、「Ｈ．３２３エンドポイント（Ｅｎｄｐｏｉｎｔ）」と呼ぶ。
【００１５】
Ｈ．２２５．０ＲＡＳ（Ｒｅｇｉｓｔｒａｔｉｏｎ  Ａｄｍｉｓｓｉｏｎ  ａｎｄ  Ｓｔａｔｕｓ、登録、通信許可、通信状態）制御は、前述のアドレス解決や帯域制御の課題を解決するために定められたＨ．３２３エンドポイント（Ｈ．３２３端末ＥＰやＨ．３２３ゲートウエイＧＷなど）と、Ｈ．３２３ゲートキーパＧＫの間に定められたプロトコルである。このプロトコルは、Ｈ．３２３通信の開始に先立って、Ｈ．３２３エンドポイントが通信の実行の可否や接続相手の端末ＥＰのＩＰアドレスをＨ．３２３ゲートキーパＧＫから得る手順や、Ｈ．３２３エンドポイントが利用者の情報（電子メール・アドレスなど）をＨ．３２３ゲートキーパＧＫに登録する手順を定めている。   Ｈ．２２５．０呼制御は、Ｈ．３２３エンドポイントの間で呼を確立したり、解放したりする手順を定めている。
【００１６】
各Ｈ．３２３エンドポイント（Ｈ．３２３端末ＥＰ）はＨ．２２５．０呼制御メッセージを受信するための通信アドレスをもっている。このアドレスを呼制御用アドレス（Ｃａｌｌ  Ｓｉｇｎａｌｌｉｎｇ  Ａｄｄｒｅｓｓ）と言う。各Ｈ．３２３エンドポイント（Ｈ．３２３端末ＥＰ）は、呼制御用アドレスによってネットワーク上で唯一に特定される。呼制御用アドレスは、ＩＰアドレスとポート番号の組合せで構成されている。 Ｈ．３２３端末ＥＰは、呼制御用アドレスに加えて、呼制御用アドレス以外の識別子（例えば、電子メール・アドレス）をもつことができる。このような呼制御用アドレス以外の端末ＥＰの識別子をエイリアス・アドレス（Ａｌｉａｓ  Ａｄｄｒｅｓｓ）という。電子メール・アドレス以外のエイリアス・アドレスの一例としてＨ．３２３ＵＲＬがある。
【００１７】
なお、呼制御用アドレスは、ＩＰアドレス、ＴＣＰポート番号などで、ネットワークが解釈するアドレスである。また、エイリアス・アドレスは、電子メール・アドレスなどの人間が覚えやすい構造となっている。Ｈ．３２３では、エイリアス・アドレスで通知先を指定することも可能となっている。
Ｈ．３２３制御の基本的概念：
呼の確立から通話を開始するまでのＨ．３２３制御の基本的概念を説明すると以下のようになる。
（ｉ）呼の確立準備（Ｈ．２２５．０ＲＡＳ制御）
ＰＣ１は自装置が属するゲートキーパＧＫ１とＨ．２２５．０ＲＡＳメッセージ（相手先ＰＣ２の呼制御用アドレスを取得すること等）を交換する。
（ii）呼の確立動作（Ｈ．２２５．０呼制御）
ＰＣ１はＰＣ２の呼制御用アドレスに対し呼確立要求メッセージを送る。ＰＣ２はゲートキーパＧＫ２に通話可否判断を問い合わせる。その後ＰＣ１とＰＣ２の間でＨ．２２５．０呼制御メッセージが交換される。
（iii ）ネゴシエーション動作（Ｈ．２４５制御）
呼が確立されるとＰＣ１とＰＣ２の間にネゴシエーション用のＴＣＰ／ＩＰコネクションが生成される。このコネクションを用いて、Ｈ．２４５メッセージ（ネゴシエーション用のメッセージ）がＰＣ間で交換される。ネゴシエーションにより、音声や映像の符号化方式、転送方式、アドレスを決定する。
（iv）ネゴシエーションが完了すると、通話が開始される。通話のために音声や映像の転送チャネル（論理チャネル）が設定されている。各転送チャネル上での音声や映像の転送は、ＲＴＰとＲＴＣＰによって制御される。
【００１８】
以上述べたように、各ＰＣと各ゲートキーパＧＫとの間で制御が行われている。
【００１９】
少なくともＨ．３２３端末ＥＰとＨ．３２３ゲートキーパＧＫを有する各ゾーンは、例えばインターネット等のＩＰネットワークを介して接続される。前記ＩＰネットワークは切断、接続が任意に行われる。このために、切断、接続時にゲートキーパＧＫの主従の再登録を行う必要がある。
【００２０】
このような接続関係について、ＩＴＵ−Ｔ  Ｈ．３２３勧告では、各種情報を集中管理するゲートキーパＧＫ装置の多重化を許しており、多重化構成時のゲートキーパＧＫと情報をゲートキーパＧＫに登録する端末ＥＰ間のインタフェースが規定されている。しかし、同勧告で各端末ＥＰは一つのゲートキーパＧＫのみに自装置の情報を登録することしか許していない為、耐障害性強化の為にゲートキーパＧＫ装置を２重化した場合、各端末ＥＰは二つあるゲートキーパＧＫのどちらか一方に自装置の情報を登録することになる。
【００２１】
【発明が解決しようとする課題】
しかし、二つあるゲートキーパＧＫのどちらに情報を登録すべきかの基準が規定されていない為、各端末ＥＰは各々の判断基準によって登録するゲートキーパＧＫを決定してしまい、結果、二つのゲートキーパＧＫに情報が分散してしまう可能性がある。また、ゲートキーパＧＫと端末ＥＰ間の通信は情報の転送が保証されない方式を使用することが規定されている為、ゲートキーパＧＫが管理している端末ＥＰの全てがゲートキーパＧＫの障害・メンテナンス時の装置再開などによるゲートキーパＧＫ装置の切替わり通知を受信できるとは限らない。この為、「切替わり通知を受信できた端末ＥＰ」と「切替わり通知を受信できなかった端末ＥＰ」で複数のゲートキーパＧＫに情報が分散してしまう可能性がある。
【００２２】
以上のような理由で情報の分散が発生すると、
・サービス提供に不足している情報を収集する為の新たな通信が発生し、その処理時間によってサービス提供までの時間が増大する（サービス品質の低下）、
・サービス提供に不足している情報を収集する為の新たな通信が発生することにより、一元管理時には必要としない各種リソースを消費してしまう、
・不足している情報の収集機能を有しない場合にはサービスが停止する、
といった問題が発生する。
【００２３】
本発明の目的は、以上の問題に鑑み、ゲートキーパＧＫを安全のため２重化するとともに、それに伴って各ゲートキーパＧＫが情報を管理することがないように情報の一元化を図る情報管理方法および情報管理装置を提供することである。
【００２４】
【課題を解決するための手段】
本発明は上記課題を達成するために以下の解決手段を採用する。
（１）所定情報管理領域内の情報を一元管理する装置をその所定情報管理領域内において２重化し、前記装置の内の稼働中の装置は前記装置の内の監視先の装置を監視し、監視元の装置は監視先の装置の状態を取得し、監視元の装置は自分の状態と取得した監視先の装置の状態の組み合わせに従って自状態を管理する情報管理方法において、所定情報管理領域が１度２つの領域に分断した状態においてそれぞれの領域に前記装置を設定した後、元の１つの領域に復旧したとき、それぞれの前記装置が行う状態監視の結果前記分断時の２つの領域のそれぞれに設定した前記装置の自情報が情報を一元管理する稼働中の場合、それら装置をそれら装置が固有に持つ同じものがない優先順位の値によっていずれか１つを稼働中に設定し、残りの装置を自情報が情報を管理しない待機中になるように設定することを特徴とする。
（２）上記（１）記載の情報管理方法において、前記装置をその装置が属する所定情報管理領域以外の他の所定情報管理領域内の前記装置と交信させることを特徴とする。
（３）所定情報管理領域内の情報を一元管理する装置をその所定情報管理領域内において２重化し、前記装置の内の稼働中の装置は前記装置の内の監視先の装置を監視し、監視元の装置は監視先の装置の状態を取得し、監視元の装置は自分の状態と取得した監視先の装置の状態の組み合わせに従って自状態を管理する情報管理装置において、所定情報管理領域が１度２つの領域に分断した状態においてそれぞれの領域に前記装置を設定した後、元の１つの領域に復旧したとき、それぞれの前記装置が行う状態監視の結果前記分断時の２つの領域のそれぞれに設定した前記装置の自情報が情報を一元管理する稼働中の場合、それら装置をそれら装置が固有に持つ同じものがない優先順位の値によっていずれか１つを稼働中に設定し、残りの装置を自情報が情報を管理しない待機中になるように設定して前記装置を所定情報管理領域内において２重化することを特徴とする。
（４）上記（３）記載の情報管理装置において、前記装置をその装置が属する所定情報管理領域以外の他の所定情報管理領域内の前記装置と交信可能に接続することを特徴とする。
（５）上記（３）又は（４）記載の情報管理装置において、前記装置に端末を交信可能に接続し、前記端末を前記装置を介して他の前記端末と交信可能に接続することを特徴とする。
【００２５】
【発明の実施の形態】
本発明の目的を達成する発明の実施の形態を以下図に基づいて詳細に説明する。
（本発明の第１実施例）
図１は、この発明の第一実施例を示すネットワーク構成図である。各構成要素は、Ｈ．３２３端末ＥＰ♯Ａ〜ＥＰ♯Ｄ、Ｈ．３２３ゲートキーパＧＫ♯１、Ｈ．３２３ゲートキーパＧＫ♯２よりなり、ネットワークによって接続されている。
【００２６】
Ｈ．３２３ゲートキーパＧＫ♯１およびゲートキーパＧＫ♯２は、ネットワーク上のある範囲（例えば企業の支社内のネットワークなど）を管理領域として、管理領域に存在するＨ．３２３端末ＥＰ等に前記（ｉ）アドレス解決、（ii）受付可否制御、（iii ）帯域制御、の機能を提供する。
【００２７】
各要素はそれぞれ独立に次の機能を持つ。
１）端末（ＥＰ♯Ａ〜ＥＰ♯Ｄ）
ＥＰ♯Ａ〜ＥＰ♯Ｄは、Ｈ．３２３端末ＥＰであり、通信を行う利用者が用いる装置である。以下の機能を有する。
【００２８】
・ゲートキーパＧＫとの通信機能
・他端末ＥＰとの通信機能
２）ゲートキーパ（ＧＫ♯１、ＧＫ♯２）
ゲートキーパＧＫ♯１およびＧＫ♯２は、Ｈ．３２３ゲートキーパであり、ネットワーク上のある範囲（例えば企業の支社内のネットワークなど）を管理領域として、管理領域に存在するＨ．３２３端末ＥＰ等に前記（ｉ）アドレス解決、（ii）受付可否制御、（iii ）帯域制御、の一般的機能（Ｈ．２２５．０ＲＡＳ制御）の他に、これらの機能を一部強化した下記機能、例えば自ゾーン内の他のゲートキーパの監視機能および自状態管理機能を実行する。
【００２９】
・他端末ＥＰとの通信機能
・他装置（他ゲートキーパＧＫ）の監視機能
・自状態管理機能
図２は、本発明に関連する各機能の関連図である。この内、本発明の重要な機能は、太字で表示した、ゲートキーパＧＫ内の機能である、他ゲートキーパＧＫを監視処理する他装置の監視機能、その機能からの監視結果通知を受けて各種サービス提供部へのサービス内容指示を変更する自状態管理機能である。
【００３０】
図２中の構成要素の動作
１）ゲートキーパＧＫへの情報自動登録
図３は、本発明におけるゲートキーパＧＫへの各端末ＥＰの情報登録動作を説明する動作説明図である。
【００３１】
各端末ＥＰは、端末ＥＰ起動時にゲートキーパＧＫのアドレスを自動取得しておき、自ゾーン内のゲートキーパＧＫに対し、通信機能を使用して、自情報を含む自装置情報登録要求（ＲＡＳアドレス登録要求）を送出する。この要求を受け、ゲートキーパＧＫは登録許可応答を返送し、前記各端末ＥＰの自情報を登録する。前記自情報は、ＩＰアドレス、ＴＣＰポート番号、電話番号、その他符号圧縮方式、等をいう。
【００３２】
２）端末ＥＰ間通信機能
図４は、本発明における各端末ＥＰ間の通信機能を説明する動作説明図である。
【００３３】
各端末ＥＰは端末ＥＰ間通信の確立に必要となる情報をゲートキーパＧＫから入手し、通信を確立する（Ｈ．２２５．０制御）。ただし、各端末ＥＰは上記１）の動作によりゲートキーパＧＫに前記自情報を登録済みとする。
【００３４】
詳しくは、まず端末ＥＰ＃Ａが通話要求先の端末ＥＰ＃Ｂの情報、例えば呼制御用アドレスおよび通信帯域確認情報等、をゲートキーパＧＫに要求する。この要求を受け、ゲートキーパＧＫは、端末ＥＰ＃Ｂの情報を端末ＥＰ＃Ａへ返送する。端末ＥＰ＃Ａは、相手先である端末ＥＰ＃Ｂの呼制御用アドレスに対し通話要求メッセージを送る。その後、両端末ＥＰ＃ＡおよびＥＰ＃Ｂの間でＨ．２２５．０呼制御メッセージが交換される。
（本発明の第２実施例）
３）他装置（他ゲートキーパＧＫ）の監視機能
図５は、本発明のゲートキーパＧＫにおける同じゾーン内の他装置（他ゲートキーパＧＫ）の監視機能を説明する動作説明図である。
【００３５】
各ゲートキーパＧＫは各々独立に他装置（他ゲートキーパＧＫ）の監視を行う。
【００３６】
具体的には、第２実施例の場合、同じゾーン内のゲートキーパＧＫ＃１が、ゲートキーパＧＫ＃２の状態、例えば「待機中」か「稼働中」を監視するメッセージを送信する。また、同じゾーン内のゲートキーパＧＫ＃２が、ゲートキーパＧＫ＃１の状態、「待機中」か「稼働中」かを監視するメッセージを送信する。各ゲートキーパＧＫは前記メッセージに対しいずれの状態であるかを返答する。
【００３７】
４）自状態管理機能
それぞれのゲートキーパＧＫは下記表１に示す状態を持つ。
【００３８】
【表１】
0003933904.tif 000002
【００３９】
各ゲートキーパＧＫは、それぞれ監視の為の送信のタイミングとは関係なく、独立に他ゲートキーパＧＫの状態を監視し、同じゾーン内で１台だけを「稼働中」の状態に保持し、残りのゲートキーパＧＫの状態を「待機中」にするように制御する。
（待機中ゲートキーパＧＫの基本動作）
図６は本発明における待機中ゲートキーパＧＫの基本動作（ｉ）（ii）を説明する動作説明図である。
（ｉ）同じゾーン内の端末ＥＰは、端末ＥＰ−ゲートキーパＧＫ間通信を使用して、待機中ゲートキーパＳＢＹ−ＧＫに対し、ゲートキーパＧＫに対する要求、例えば、呼制御用アドレスの返送要求、を送信する。待機中ゲートキーパＳＢＹ−ＧＫは、自状態が待機中であることを確認して前記要求の拒否を前記端末ＥＰへ返送する。
（ii）待機中ゲートキーパＳＢＹ−ＧＫは、ゲートキーパＧＫ間通信を使用して、稼働中ゲートキーパＴＧＴ−ＧＫを定周期で監視し、監視元ゲートキーパＧＫ（この例の場合、待機中ゲートキーパＳＢＹーＧＫが相当する。）は監視先ゲートキーパＧＫ（この例の場合、稼働中ゲートキーパＴＧＴ−ＧＫが相当する。）の状態を取得する。監視元ゲートキーパＧＫは自分の状態と取得した監視先ゲートキーパＧＫの状態の組み合わせ（表２参照）に従って自状態を管理する。
（稼働中ゲートキーパＧＫの基本動作）
図７は本発明における稼働中ゲートキーパＧＫの基本動作（ｉ）（ii）を説明する動作説明図である。
（ｉ）同じゾーン内の端末ＥＰは、端末ＥＰ−ゲートキーパＧＫ間通信を使用して、稼働中ゲートキーパＡＣＴ−ＧＫに対し、ゲートキーパＧＫに対する要求、例えば、呼制御用アドレスの返送要求、を送信する。稼働中ゲートキーパＡＣＴ−ＧＫは、自状態が稼働中であることを確認して前記要求に対する応答（サービス）を前記端末ＥＰへ返送する。
（ii）稼働中ゲートキーパＡＣＴ−ＧＫは、ゲートキーパＧＫ間通信を使用して、監視先ゲートキーパＴＧＴ−ＧＫを定周期で監視し、監視元ゲートキーパＧＫ（この例の場合、稼働中ゲートキーパＡＣＴ−ＧＫが相当する）は監視先ゲートキーパＧＫ（この例の場合、監視先ゲートキーパＴＧＴ−ＧＫが相当する）の状態を取得する。監視元ゲートキーパＧＫは自分の状態と取得した監視先ゲートキーパＴＧＴ−ＧＫの状態の組み合わせ（表２参照）に従って自状態を管理する。
【００４０】
図６、図７にあるようにゲートキーパは定周期に監視先ゲートキーパＴＧＴ−ＧＫの監視を行い監視元ゲートキーパＧＫは監視先ゲートキーパＴＧＴ−ＧＫの状態を取得する。監視元ゲートキーパＧＫは自分の状態と取得した監視先ゲートキーパＴＧＴ−ＧＫの状態の組合せ（表２参照）に従って自状態を管理する。
【００４１】
図１２は、本発明の監視元の状態設定フローチャートである。以下、フローチャートの流れを説明する。
【００４２】
まず、監視元ゲートキーパＧＫが、自状態（自情報）は稼働中か否かを判断する（ステップＳ１０）。稼働中である場合（ＹＥＳ）はステップＳ１１へ、稼働中でない場合（ＮＯ）はステップＳ１７へ進む。
【００４３】
ステップＳ１０で稼働中と判断した場合（ＹＥＳ）、監視先の他のゲートキーパＧＫの状態データ（自情報）を取り込み（ステップＳ１１）、監視先は応答したか否かを判断する（ステップＳ１２）。
【００４４】
ステップＳ１２で、監視先は応答したと判断した場合（ＹＥＳ）、さらに監視先状態は稼働中１か待機中２かを判断する（ステップＳ１３）。
【００４５】
ステップＳ１３で、監視先状態は稼働中と判断した場合（１）、監視先が自情報として固有に持つ値と監視元が自情報として固有に持つ値とを比較する（ステップＳ１４）。
【００４６】
前記「固有に持つ値」は、同じものがなく、比較すると必ず優先順位が決まる値になっている。
【００４７】
ステップＳ１４で、比較の結果、監視元優先と判断した場合、監視元の状態（自情報）を稼動中に設定し（ステップＳ１６）、終了する（エンド）。
【００４８】
ステップＳ１４で、比較の結果、監視先優先と判断した場合、監視元の状態（自情報）を待機中に設定し（ステップＳ１５）、終了（エンド）する。
【００４９】
ステップＳ１３で、監視先状態は待機中と判断した場合（２）、監視元の状態（自情報）を待機中に設定し（ステップＳ１５）、終了（エンド）する。
【００５０】
ステップＳ１２で、監視先は応答しなかったと判断した場合（ＮＯ）、監視元の状態（自情報）を稼動中に設定し（ステップＳ１６）、終了する（エンド）。
【００５１】
ステップＳ１０で監視元状態は稼働中でないと判断した場合（ＮＯ）、監視先の他のゲートキーパＧＫの状態データ（自情報）を取り込み（ステップＳ１７）、監視先は応答したか否かを判断する（ステップＳ１８）。
【００５２】
ステップＳ１８で、監視先は応答したと判断した場合（ＹＥＳ）、さらに監視先状態は稼働中１か待機中２かを判断する（ステップＳ１９）。
【００５３】
ステップＳ１９で、監視先状態は待機中と判断した場合（２）、監視先が自情報として固有に持つ値と監視元が自情報として固有に持つ値とを比較する（ステップＳ２０）。
【００５４】
ステップＳ２０で、比較の結果、監視元優先と判断した場合、監視元の状態（自情報）を稼動中に設定し（ステップＳ２２）、終了する（エンド）。
【００５５】
ステップＳ２０で、比較の結果、監視先優先と判断した場合、監視元の状態（自情報）を待機中に設定し（ステップＳ２１）、終了（エンド）する。
【００５６】
ステップＳ１９で、監視先状態は稼動中と判断した場合（１）、監視元の状態（自情報）を待機中に設定し（ステップＳ２１）、終了（エンド）する。
【００５７】
ステップＳ１８で、監視先は応答しなかったと判断した場合（ＮＯ）、監視元の状態（自情報）を稼動中に設定し（ステップＳ２２）、終了する（エンド）。
【００５８】
上記図１２の本発明の監視元の状態設定フローチャートの結果をまとめると下記表２になる。
【００５９】
【表２】
0003933904.tif 000003
【００６０】
ここで優先処理※は、稼動中か待機中かを比べた場合、互いに同じ状態となる場合の優先判断処理である。この場合は、それぞれのゲートキーパＧＫ装置が固有に持つ値（優先順位を示す通し番号等）を比較し、どちらのゲートキーパＧＫが稼働中となるかを決定する。
（本発明の第３実施例）
１つのゾーンであったＩＰネットワーク等が２つに分断し、それぞれのゾーンのゲートキーパＧＫが稼働中となった後で、この分断状態から元の１つのゾーンに復旧した場合、復旧後の監視によりどちらか一方のゲートキーパＧＫが自動的に待機中となる。稼働中から待機中に変更になる際に、待機中に変わるゲートキーパＧＫは自装置に登録済みの各端末ＥＰに対してゲートキーパＧＫサービスの終了（ゲートキーパ切替わり）を通知する（図８参照）。前記サービスの終了（ゲートキーパ切替わり）は、離脱要求（記録情報を削除する要求）を該ゲートキーパＧＫに接続されている各端末ＥＰに送出する。
【００６１】
図８は本発明におけるネットワーク分断復旧後の情報の一元化動作を説明する動作説明図である。
【００６２】
具体的には、自状態が稼働中となっているゲートキーパＧＫ−１は、定周期でゲートキーパ間通信によりゲートキーパＧＫ−２の状態監視を行う。新ネットワーク形成前稼働中であったゲートキーパＧＫ−２は自状態が稼働中となっているため、前記状態監視のときも稼働中となる。この段階では両ゲートキーパＧＫは稼働中となるので、次の比較基準となる各ゲートキーパＧＫが有する「固有に持つ値」を比較する。この比較動作により、ゲートキーパＧＫ−１がそのまま稼働中に留まり、ゲートキーパＧＫ−２が待機中に替わる。その後、ゲートキーパＧＫ−２はゲートキーパＧＫ−１に通常動作である状態監視を行う。以下、同様にゲートキーパＧＫ−１およびＧＫ−２は定周期で相手の状態監視を行う。
【００６３】
同時に、稼働中から待機中に切り替わった前記ゲートキーパＧＫ−２は自分に接続されている各端末ＥＰにゲートキーパサービス終了通知（ゲートキーパ切り替わり通知）を送信する。
【００６４】
このゲートキーパサービス終了通知（切り替わり通知）を受けた各端末ＥＰは、端末ＥＰ−ゲートキーパＧＫ間通信により、稼働中のゲートキーパＧＫ−１に自情報の登録処理要求を送信する。
【００６５】
ゲートキーパＧＫ−１は前記登録要求を受けて登録処理する。以下、ネットワークは前記のとおり動作する。
【００６６】
【発明の効果】
本発明は、特許請求の範囲記載の事項により、以下に記載する効果を奏する。
【００６７】
１）情報の分散回避
図９は、本発明のゲートキーパＧＫを２重化したシステムにおける情報の分散回避動作を行う動作説明図である。
【００６８】
図９に示すように、２重化したゲートキーパＧＫは必ずどちらかが稼働中となり、稼働中のゲートキーパＧＫのみがサービスの提供を行い、待機中のゲートキーパＧＫは端末ＥＰからの要求を拒否し稼働中のゲートキーパＧＫへの登録を促す為、全ての端末ＥＰは稼働中ゲートキーパＧＫに必要な情報を登録することになる。このため、必要な情報は、必ず稼働中のゲートキーパＧＫにより集中管理され、他のゲートキーパＧＫを介して分散することがなくなる。
【００６９】
２）情報の自動一元化
図１０は、本発明のネットワークが行う分断から復旧への動作を示す動作説明図である。図１０（Ａ）はネットワークが分断中の状態を示し、図１０（Ｂ）はネットワークの分断から復旧した状態を示す図である。
【００７０】
図１１は、本発明のネットワークが行う情報の自動一元化動作を示す動作説明図である。
【００７１】
何かの要因でネットワークが分断され２重化したゲートキーパＧＫの双方が稼働中となっても、分断状態から回復後の監視手順によって自動的にどちらか一方のゲートキーパＧＫのみが稼働中、残りのゲートキーパＧＫが待機中となる。この結果、稼働中ゲートキーパＧＫに情報が集まり、自動的に一元化される（図１０、図１１参照）。
【図面の簡単な説明】
【図１】  本発明の第１実施例を示すネットワーク構成図である。
【図２】  本発明に関連する各機能の関連図である。
【図３】  本発明におけるゲートキーパＧＫへの各端末の情報登録動作を説明する動作説明図である。
【図４】  本発明における各端末間の通信機能を説明する動作説明図である。
【図５】  本発明のゲートキーパＧＫにおける同じゾーン内の他装置（他ゲートキーパＧＫ）の監視機能を説明する動作説明図である。
【図６】  本発明における待機中ゲートキーパＧＫの基本動作（ｉ）（ii）を説明する動作説明図である。
【図７】  本発明における稼働中ゲートキーパＧＫの基本動作（ｉ）（ii）を説明する動作説明図である。
【図８】  本発明におけるネットワーク分断復旧後の情報の一元化動作を説明する動作説明図である。
【図９】  本発明のゲートキーパＧＫを２重化したシステムにおける情報の分散回避動作を行う動作説明図である。
【図１０】  図１０は、本発明のネットワークが行う分断から復旧への動作を示す動作説明図である。
【図１１】  本発明のネットワークが行う情報の自動一元化動作を示す動作説明図である。
【図１２】  本発明の監視元の状態設定フローチャートである。
【符号の説明】
ＧＫ    ゲートキーパ
ＳＢＹ−ＧＫ    待機中ゲートキーパ
ＴＧＴ−ＧＫ    監視先ゲートキーパ
ＡＣＴ−ＧＫ    稼働中ゲートキーパ
ＥＰ    端末
【図１】
0003933904.tif 000004
【図２】
0003933904.tif 000005
【図３】
0003933904.tif 000006
【図４】
0003933904.tif 000007
【図５】
0003933904.tif 000008
【図６】
0003933904.tif 000009
【図７】
0003933904.tif 000010
【図８】
0003933904.tif 000011
【図９】
0003933904.tif 000012
【図１０】
0003933904.tif 000013
【図１１】
0003933904.tif 000014
【図１２】
0003933904.tif 000015